(57)【要約】      （修正有）【課題】構造が簡単で、操作しやすく、フィルタ装置を有効に掃除することができる水浄化装置を提供する。【解決手段】水浄化装置は、浄化箱体１を含む。浄化箱体の上端に密封扉２がヒンジ接続され、浄化箱体の内部上端には、フィルタ筒が設けられ、フィルタ筒の中間位置には、第１フィルタキャビティが設けられ、第１フィルタキャビティの外側には、第１フィルタ層５が設けられ、第１フィルタ層の外側には、第２フィルタキャビティが設けられ、第２フィルタキャビティの外側には、第２フィルタ層７が設けられる。第１フィルタキャビティ及び第２フィルタキャビティの内部のいずれにも、支持環が設けられ、支持環の底端外側には、環状収集溝が形成され、収集溝の底端には、位置規制突出が固定され、フィルタ筒の底端には、位置規制溝が形成され、二つの支持環の上端両側のいずれにも、接続ロッド１２が設けられる。【選択図】図１
0003233213.tif 000002
【実用新案登録請求の範囲】
【請求項１】
浄化箱体（１）を含む水浄化装置であって、
前記浄化箱体（１）の上端に水浄化装置は、密封扉（２）がヒンジ接続され、
前記浄化箱体（１）の内部上端には、フィルタ筒（３）が設けられ、
前記フィルタ筒（３）の中間位置には、第１フィルタキャビティ（４）が設けられ、
前記第１フィルタキャビティ（４）の外側には、第１フィルタ層（５）が設けられ、
前記第１フィルタ層（５）の外側には、第２フィルタキャビティ（６）が設けられ、
前記第２フィルタキャビティ（６）の外側には、第２フィルタ層（７）が設けられ、
前記第１フィルタキャビティ（４）及び前記第２フィルタキャビティ（６）の内部のいずれにも、支持環（８）が設けられ、
前記支持環（８）の底端外側には、環状収集溝（９）が形成され、
前記環状収集溝（９）の底端には、位置規制突出（１０）が固定され、
前記フィルタ筒（３）の底端には、位置規制溝（１１）が形成され、
二つの前記支持環（８）の上端両側のいずれにも、接続ロッド（１２）が設けられ、
前記接続ロッド（１２）の上端は、前記密封扉（２）の側壁を貫通するように前記密封扉（２）の上端における支持盤（１３）に固定され、
前記支持盤（１３）の上端には、プリリング（１４）が設けられ、
前記フィルタ筒（３）の下方に位置する前記浄化箱体（１）の内部には、第３フィルタ層（１５）が設けられ、
前記第３フィルタ層（１５）の下端には、第４フィルタ層（１６）が設けられ、
前記浄化箱体（１）の内部底端には、密封仕切り板（１７）が設けられ、
前記密封仕切り板（１７）の底端には、オゾン発生器（１８）が取り付けられ、
前記オゾン発生器（１８）の輸出端には、前記密封仕切り板（１７）の上端における排気孔（１９）が接続される、
ことを特徴とする水浄化装置。
【請求項２】
請求項１に記載の水浄化装置であって、
前記浄化箱体（１）の底端片側には、排水口（２０）が形成され、
前記密封扉（２）には、入水口（２１）が形成され、
前記排水口（２０）及び前記入水口（２１）のいずれにも、電磁弁（２２）が設けられる、
ことを特徴とする水浄化装置。
【請求項３】
請求項２に記載の水浄化装置であって、
前記フィルタ筒（３）の内側の第１フィルタキャビティ（４）は、入水口（２１）の真下に位置する、
ことを特徴とする水浄化装置。
【請求項４】
請求項１に記載の水浄化装置であって、
前記第１フィルタキャビティ（４）の内部の環状収集溝（９）は、一端が第１フィルタ層（５）と接触するように設けられる、
ことを特徴とする水浄化装置。
【請求項５】
請求項１に記載の水浄化装置であって、
前記第２フィルタキャビティ（６）の内部の環状収集溝（９）は、一端が第２フィルタ層（７）と接触するように設けられる、
ことを特徴とする水浄化装置。
【請求項６】
請求項１に記載の水浄化装置であって、
前記接続ロッド（１２）は、前記密封扉（２）に対し摺動可能に設けられ、
前記密封扉（２）と前記接続ロッド（１２）とが接続する接続箇所には、シーリングが設けられる、
ことを特徴とする水浄化装置。
【請求項７】
請求項１に記載の水浄化装置であって、
前記環状収集溝（９）の底端の前記位置規制突出（１０）は、前記フィルタ筒（３）の内側の前記位置規制溝（１１）と係合する、
ことを特徴とする水浄化装置。
【請求項８】
請求項１に記載の水浄化装置であって、
前記第１フィルタ層（５）、前記第２フィルタ層（７）、前記第３フィルタ層（１５）及び前記第４フィルタ層（１６）は、これらのフィルタ径が順に小さくなる、
ことを特徴とする水浄化装置。
【請求項９】
請求項１に記載の水浄化装置であって、
前記密封仕切り板（１７）の上端における前記排気孔（１９）は、間隔を均等に空けて複数形成される、
ことを特徴とする水浄化装置。
【請求項１０】
請求項１に記載の水浄化装置であって、
前記浄化箱体（１）の底端には、支持脚（２３）が設けられ、
前記支持脚（２３）の底端のいずれにも、滑り防止パッドが設けられる、
ことを特徴とする水浄化装置。
【考案の詳細な説明】
【技術分野】
【０００１】
本考案は、水処理技術分野に関し、特に水浄化装置に関する。
【背景技術】
【０００２】
水資源は、生きるための必需品である。一方、工業や商業の発展に伴い地球上の水資源は、危機に瀕している。水浄化装置は、水を処理するための装置であり、水処理の分野において広く用いられている。従来の水浄化装置は、ハウジング、入水管、ゴム層及び排水管を含み、ハウジングの内部には、作業キャビティが設けられ、入水管は、ハウジングの上端に取り付けられ、ハウジングを貫通して作業キャビティと連通し、ゴム層は、ハウジングの両側の内壁に取り付けられ、作業キャビティには、上から下に順に第１フィルタ層、第２フィルタ層、第３フィルタ層、第４フィルタ層、第５フィルタ層及び水収集層が設けられ、排水管は、ハウジングの下部に取り付けられ、ハウジングを貫通して作業キャビティと連通する。従来の水浄化装置が用いられる際に、水を入水管によってハウジングの内部に流入させ、第１フィルタ層、第２フィルタ層、第３フィルタ層、第４フィルタ層及び第５フィルタ層を経由させて濾過を行い、水を排水管によって排出する。
【０００３】
しかしながら、従来の水浄化装置が用いられる際に、内部の濾過物を排出や処理することができないため、詰まりの問題が発生しやすく、浄化装置の内部のフィルタ層を掃除することは、困難である。
【考案の概要】
【０００４】
本考案は、先行技術のような欠陥を解消するために、水浄化装置内部のフィルタ装置を掃除しやすい水浄化装置を提供することを目的とする。
【０００５】
上述した目的を実現するため、本考案のある態様によれば、浄化箱体を含む水浄化装置であって、前記浄化箱体の上端に水浄化装置は、密封扉がヒンジ接続され、前記浄化箱体の内部上端には、フィルタ筒が設けられ、前記フィルタ筒の中間位置には、第１フィルタキャビティが設けられ、前記第１フィルタキャビティの外側には、第１フィルタ層が設けられ、前記第１フィルタ層の外側には、第２フィルタキャビティが設けられ、前記第２フィルタキャビティの外側には、第２フィルタ層が設けられ、前記第１フィルタキャビティ及び前記第２フィルタキャビティの内部のいずれにも、支持環が設けられ、前記支持環の底端外側には、環状収集溝が形成され、前記収集溝の底端には、位置規制突出が固定され、前記フィルタ筒の底端には、位置規制溝が形成され、二つの前記支持環の上端両側のいずれにも、接続ロッドが設けられ、前記接続ロッドの上端は、密封扉の側壁を貫通するように密封扉の上端における支持盤に固定され、前記支持盤の上端には、プリリングが設けられ、前記フィルタ筒の下方に位置する前記浄化箱体の内部には、第３フィルタ層が設けられ、前記第３フィルタ層の下端には、第４フィルタ層が設けられ、前記浄化箱体の内部底端には、密封仕切り板が設けられ、前記密封仕切り板の底端には、オゾン発生器が取り付けられ、前記オゾン発生器の輸出端には、密封仕切り板の上端における排気孔が接続される水浄化装置が提供される。
【０００６】
好適な態様において、前記浄化箱体の底端片側には、排水口が形成され、前記密封扉には、入水口が形成され、前記排水口及び前記入水口のいずれにも、電磁弁が設けられる。そして、排水口及び入水口は、水の導入及び導出を行いやすくなる。
【０００７】
好適な態様において、前記フィルタ筒の内側の第１フィルタキャビティは、入水口の真下に位置する。これにより、汚染水を直接第１フィルタキャビティに導入しやすくなる。
【０００８】
好適な態様において、前記第１フィルタキャビティの内部の環状収集溝は、一端が第１フィルタ層と接触するように設けられる。そして、第１フィルタ層を環状収集溝によって掃除しやすくなる。
【０００９】
好適な態様において、前記第２フィルタキャビティの内部の環状収集溝は、一端が第２フィルタ層と接触するように設けられる。そして、第２フィルタ層を環状収集溝によって掃除しやすくなる。
【００１０】
好適な態様において、前記接続ロッドは、密封扉に対し摺動可能に設けられ、前記密封扉と前記接続ロッドとが接続する接続箇所には、シーリングが設けられる。これにより、フィルタ筒内部の水が接続ロッドから流出する。
【００１１】
好適な態様において、前記環状収集溝の底端の位置規制突出は、前記フィルタ筒の内側の位置規制溝と係合する。これにより、支持環及び環状収集溝の位置を規制しやすくなり、使用過程において環状収集溝が揺れることを防止することができる。
【００１２】
好適な態様において、前記第１フィルタ層、前記第２フィルタ層、前記第３フィルタ層及び前記第４フィルタ層は、これらのフィルタ径が順に小さくなる。これにより、汚染水を段階的に濾過することができ、濾過効果が向上する。
【００１３】
好適な態様において、前記密封仕切り板（１７）の上端における排気孔（１９）は、間隔を均等に空けて複数形成される。これにより、オゾン発生器が発生するオゾンを均一に分散させることによって、水への殺菌効果をより良好にすることができる。
【００１４】
好適な態様において、前記浄化箱体の底端には、支持脚が設けられ、前記支持脚の底端のいずれにも、滑り防止パッドが設けられる。これにより、浄化箱体の支持を行いやすくなる。
【考案の効果】
【００１５】
本考案は、先行技術に比べ、以下の効果を有する。
その１、本考案によれば、フィルタ筒を設けるとともにフィルタ筒の内部に第１フィルタ層及び第２フィルタ層を設け、第１フィルタ層及び第２フィルタ層の片側のいずれにも、支持環及び環状収集溝が形成され、使用過程において第１フィルタ層及び第２フィルタ層から落下する粒子が環状収集溝に入り込むことができるので、粒子の収集を行うことができる。一方、第１フィルタ層及び第２フィルタ層を掃除する際に、支持環及び環状収集溝を接続ロッドの動作によって昇降させ、第１フィルタ層及び第２フィルタ層に詰まった粒子を環状収集溝の一端側壁によって除去することができるので、除去された粒子を環状収集溝に入り込ませることができる。本考案の構造が簡単で、操作しやすく、フィルタ装置を有効に掃除することができる。
【００１６】
その２、本考案によれば、オゾン発生器、密封仕切り板及び排気孔を設け、オゾンをオゾン発生器によって発生し、オゾンを排気孔によって均一に汚染水に導入させることで、汚染水の消毒処理を行うことができるので、水の浄化効果をより良好にすることができる。
【図面の簡単な説明】
【００１７】
【図１】本考案に係る全体構成概略図である。
【図２】図１におけるＡ部分の構成拡大概略図である。
【図３】本考案のフィルタ筒の構成概略図である。
【図４】本考案の環状収集溝の構成概略図である。
【考案を実施するための形態】
【００１８】
図１から図４に示すように、水浄化装置は、浄化箱体１を含む。前記浄化箱体１の上端に水浄化装置は、密封扉２がヒンジ接続され、前記浄化箱体１の内部上端には、フィルタ筒３が設けられ、前記フィルタ筒３の中間位置には、第１フィルタキャビティ４が設けられ、前記第１フィルタキャビティ４の外側には、第１フィルタ層５が設けられ、前記第１フィルタ層５の外側には、第２フィルタキャビティ６が設けられ、前記第２フィルタキャビティ６の外側には、第２フィルタ層７が設けられ、前記第１フィルタキャビティ４及び前記第２フィルタキャビティ６の内部のいずれにも、支持環８が設けられ、前記支持環８の底端外側には、環状収集溝９が形成され、前記環状収集溝９の底端には、位置規制突出１０が固定され、前記フィルタ筒３の底端には、位置規制溝１１が形成され、二つの前記支持環８の上端両側のいずれにも、接続ロッド１２が設けられ、前記接続ロッド１２の上端は、密封扉２の側壁を貫通するように密封扉２の上端における支持盤１３に固定され、前記支持盤１３の上端には、プリリング１４が設けられる。
【００１９】
また、前記浄化箱体１の底端片側には、排水口２０が形成され、前記密封扉２には、入水口２１が形成され、前記排水口２０及び前記入水口２１のいずれにも、電磁弁２２が設けられる。そして、入水口２１及び排水口２０を設けることによって水の導入及び導出を行いやすくなる。
【００２０】
また、前記フィルタ筒３の内側の第１フィルタキャビティ４は、入水口２１の真下に位置する。これにより、汚染水を直接第１フィルタキャビティ４に導入しやすくなる。
【００２１】
また、前記第１フィルタキャビティ４の内部の環状収集溝９は、一端が第１フィルタ層５と接触するように設けられる。そして、第１フィルタ層５を環状収集溝９によって掃除しやすくなる。
【００２２】
また、前記第２フィルタキャビティ６内部の環状収集溝９は、一端が第２フィルタ層７と接触するように設けられる。そして、第２フィルタ層７を環状収集溝９によって掃除しやすくなる。
【００２３】
また、前記接続ロッド１２は、密封扉２に対し摺動可能に設けられ、前記密封扉２と前記接続ロッド１２とが接続する接続箇所には、シーリングが設けられる。これにより、フィルタ筒３内部の水が接続ロッド１２から流出する。
【００２４】
また、前記環状収集溝９の底端の位置規制突出１０は、前記フィルタ筒３の内側の位置規制溝１１と係合する。これにより、支持環８及び環状収集溝９の位置を規制しやすくなり、使用過程において環状収集溝９が揺れることを防止することができる。
【００２５】
具体的な実施方法とは、使用時において、密封扉２が浄化箱体１の上端を覆い、汚染水を入水口２１によってフィルタ筒３の内部に導入し、汚染水が第１フィルタキャビティ４に入り込み、第１フィルタキャビティ４の汚染水が第１フィルタ層５を経由して第２フィルタキャビティ６に入り込み、第２フィルタ層７を経由してフィルタ筒３から流出し、使用過程において、第１フィルタ層５及び第２フィルタ層７によって濾過された粒子が環状収集溝９に落下し、一定時間を使用した後、第１フィルタ層５及び第２フィルタ層７に多数の粒子が付着するため、第１フィルタ層５及び第２フィルタ層７の濾過効率に影響を与えるものの、支持盤１３がプリリング１４によって上方に引っ張られて、支持盤１３が支持環８及び環状収集溝９を接続ロッド１２によって上方に移動させ、二つの環状収集溝９の一端がそれぞれ第１フィルタ層５及び第２フィルタ層７と接触し、第１フィルタ層５及び第２フィルタ層７に付着した粒子を環状収集溝９の側壁によって除去することができ、
除去された粒子が環状収集溝９に落下し、環状収集溝９によって第１フィルタ層５及び第２フィルタ層７を掃除した後、浄化箱体１の上端における密封扉２を開き、環状収集溝９内の粒子を掃除すればよい。
【００２６】
図１に示す水浄化装置によれば、前記フィルタ筒３の下方に位置する前記浄化箱体１の内部には、第３フィルタ層１５が設けられ、前記第３フィルタ層１５の下端には、第４フィルタ層１６が設けられ、前記浄化箱体１の内部底端には、密封仕切り板１７が設けられ、前記密封仕切り板１７の底端には、オゾン発生器１８が取り付けられ、前記オゾン発生器１８の輸出端には、密封仕切り板１７の上端における排気孔１９が接続される。
【００２７】
また、前記第１フィルタ層５、前記第２フィルタ層７、前記第３フィルタ層１５及び前記第４フィルタ層１６は、これらのフィルタ径が順に小さくなる。これにより、汚染水を段階的に濾過することができ、濾過効果が向上する。
【００２８】
また、前記密封仕切り板１７の上端における排気孔１９は、間隔を均等に空けて複数形成される。これにより、オゾン発生器１８が発生するオゾンを均一に分散させることによって、水への殺菌効果をより良好にすることができる。
【００２９】
また、前記浄化箱体１の底端には、支持脚２３が設けられ、前記支持脚２３の底端のいずれにも、滑り防止パッドが設けられる。これにより、浄化箱体１の支持を行いやすくなる。
【００３０】
具体的な実施方法とは、フィルタ筒３から流出する水が第３フィルタ層１５及び第４フィルタ層１６を経由して密封仕切り板１７の上端に落下し、オゾン発生器１８がオンにされることでオゾンを発生し、発生されたオゾンが排気孔１９によって排出され、濾過された水の消毒殺菌をオゾンによって行い、浄化された水を排水口２０によって排出する。これにより、汚染水の浄化を図ることができる。
【符号の説明】
【００３１】
１      浄化箱体
２      密封扉
３      フィルタ筒
４      第１フィルタキャビティ
５      第１フィルタ層
６      第２フィルタキャビティ
７      第２フィルタ層
８      支持環
９      環状収集溝
１０    位置規制突出
１１    位置規制溝
１２    接続ロッド
１３    支持盤
１４    プリリング
１５    第３フィルタ層
１６    第４フィルタ層
１７    密封仕切り板
１８    オゾン発生器
１９    排気孔
２０    排水口
２１    入水口
２２    電磁弁
２３    支持脚
【図１】
0003233213.tif 000003
【図２】
0003233213.tif 000004
【図３】
0003233213.tif 000005
【図４】
0003233213.tif 000006